(57)【特許請求の範囲】
【請求項１】
底壁（１１）周縁に筒壁（１２）を立連設した有底筒形状で、前記筒壁（１２）外面に係止用突片（１３）を周方向に沿って突設した容器本体（１０）と、
天板（２１）周縁に短筒壁（２２）を立連設した有底短筒形状で、前記短筒壁（２２）外周にパッキンリング（３０）を密嵌し、前記容器本体（１０）上端部内に密嵌入する中蓋（２０）と、
頂壁（４１）周縁に外装壁（４２）を垂下連設した有頂筒形状で、前記外装壁（４２）の対向する二か所に、前記頂壁（４１）端部を含む上端から下端にかけて切り欠き（４３）を夫々設け、前記容器本体（１０）に外装される蓋本体（４０）と、
前記切り欠き（４３）の頂壁切り欠き部（４３a）内に上端が軸支されて、前記外装壁切り欠き部（４３ｂ）内にかけて嵌め込まれ、下端が前記容器本体（１０）の係止用突片（１３）に下方から係止する開閉レバー（５０）、
とを有し、
前記蓋本体（４０）の頂壁切り欠き部（４３a）端縁から補助壁（４４）を垂下設すると共に、該補助壁（４４）の両側に、外装壁（４２）の内面の切り欠き部（４３ｂ）端縁との間にガイド壁部（４３ｃ）を形成する形態で、前記外装壁（４２）内面に連続する側壁（４５）を夫々設け、
前記頂壁切り欠き部（４３a）内に嵌め込まれる上端板部（５１）基端に前記外装壁切り欠き部（４３ｂ）内に嵌め込まれる操作板部（５２）を垂下連設した略逆L字形状の前記開閉レバー（５０）の操作板部（５２）両側に、前記蓋本体（４０）の補助壁（４４）と側壁（４５）とガイド壁部（４３ｃ）とで形成される空間に上方から挿入される係合突条（５４）を夫々設けると共に、該係合突条（５４）の側面上端部に、前記側壁（４５）の上端部に軸着される軸ピン（５５）を突設し、更に、前記操作板部（５２）の内面下部に、前記容器本体（１０）の係止用突片（１３）に下方から係止するロック条（５７）を突設したことを特徴とする弁当箱。
【請求項２】
開閉レバー（５０）の係合突条（５４）にあって、蓋本体（４０）のガイド壁部（４３ｃ）に対向する面を、中央部から下端にかけて削切して傾斜面（５６）に形成したことを特徴とする請求項１に記載の弁当箱。
【発明の詳細な説明】
【技術分野】
【０００１】
本発明は、密閉が確実で且つ開閉が容易な弁当箱に関するものである。
【背景技術】
【０００２】
弁当は外出先で食するのが一般であり、食べ物を詰めた弁当箱を袋やカバンに入れて携帯することになる。この場合に最も注意を払はなければならないのは、食べ物の傷みと味の変化を抑え、且つ汁の漏出がないようにすることであり、そのためには確実な密閉性が要求される。そして外出先であるから、この密封性を確保しながらも開閉が容易であることが望ましい。
【０００３】
この点に鑑みて、例えば以下のごとき先行技術が提案されている。
【先行技術文献】
【特許文献】
【０００４】
【特許文献１】特開２０１５−５８１７８号公報
【特許文献２】特開２０１２−１９２９７６号公報
【発明の概要】
【発明が解決しようとする課題】
【０００５】
文献１の発明は、ボックスに被せる蓋体を止め具で一体にしたランチボックスで、止め具が蓋体の外周から突出しない構成になっているが、止め具の開き操作での止め具の可動範囲がほぼ直角と大きく、ヒンジを介しての回動であるために繰り返しての使用により劣化して破損してしまうことが考えられる。
【０００６】
また、文献２の発明もまた文献１の構成と殆ど同様であり、ヒンジ部分の経年劣化は避けられない。
【０００７】
よって本発明は、上述した従来技術の欠点、不都合、不満を解消するべく発明されたものであって、容器本体と蓋体とを連結する開閉レバーの可動範囲を極めて小さくしながらも確実に密閉効果が得られるようにすることにある。
【課題を解決するための手段】
【０００８】
上記課題を解決するため、本発明の弁当箱は、
底壁周縁に筒壁を立連設した有底筒形状で、前記した筒壁の外面に係止用突片を周方向に沿って突設した容器本体と、
天板周縁に短筒壁を立連設した有底短筒形状で、前記した短筒壁外周にパッキンリングを密嵌し、容器本体上端部内に密嵌入する中蓋と、
頂壁周縁に外装壁を垂下連設した有頂筒形状で、前記した外装壁の対向する二か所に、前記頂壁端部を含む上端から下端にかけて切り欠きを夫々設け、前記した容器本体に外装される蓋本体と、
前記した切り欠きの頂壁切り欠き部内に上端が軸支されて外装壁切り欠き部内にかけて嵌め込まれ、下端が容器本体の係止用突片に下方から係止する開閉レバー、
とから構成されることを特徴とする。
【０００９】
そして、蓋本体の頂壁切り欠き部端縁から補助壁を垂下設すると共に、この補助壁の両側に、外装壁の内面の切り欠き部端縁との間にガイド壁を形成する形態で、前記外装壁内面に連続する側壁を夫々設ける。また、開閉レバーは、頂壁切り欠き部内に嵌め込まれる上端板部基端に外装壁切り欠き部内に嵌め込まれる操作板部を垂下連設した略逆L字形状で、この開閉レバーの操作板部の両側に、蓋本体の補助壁と側壁とガイド壁とで形成される空間に上方から挿入される係合突条を夫々設けると共に、この係合突条の側面上端部に、側壁の上端部に軸着される軸ピンを突設し、更に、操作板部の内面下部に、容器本体の係止用突片に下方から係止するロック条を突設したことを特徴とする構成である。
【００１０】
また、開閉レバー両側の係合突条にあって、蓋本体のガイド壁に対向する面を、中央部から下端にかけて削切して傾斜面を形成する。
【発明の効果】
【００１１】
従って、容器本体はパッキンリングを介して中蓋により密閉され、中蓋を含む容器本体は蓋本体によりすっぽりと被せられ、且つ対向配置される一対の開閉レバーにより容器本体と蓋本体とは確固と一体化されるので、密閉性が確実に確保され、且つ開閉レバーは一対であるため、係止用突片とロック条との係止の解除を同時に行うことにより、蓋本体を持ち上げるようにして簡単に外すことができる。
【００１２】
開閉レバーは蓋本体の頂壁切り欠き部内から外装壁切り欠き部内にかけて嵌め込まれているので、閉じた姿勢では外方に突出することはなく、蓋本体の頂壁切り欠き部内に上端が軸支されて回動するので、繰り返しての操作でもヒンジ構造のように劣化してしまうことはない。更には、開閉レバーは蓋本体から取り外すことができるので、開閉レバー蓋本体のきめ細かな洗浄も可能である。
【００１３】
そして開閉レバーの両側には、蓋本体の補助壁と側壁とガイド壁とで形成される空間に上方から挿入される係合突条が設けられているので、この係合突条の軸ピンにより回動することができ、且つこの回動に伴い係合突条が対向するガイド壁に当接するのでそれ以上の回動が規制され、最小限の動きで係止用突片とロック条との係止と解除を達成する。この場合、蓋本体のガイド壁に対向する係合突条の面を中央部から下端にかけて削切して傾斜面とすれば、上記したガイド壁に当接しての回動が円滑に規制される等、本発明は多くの優れた作用効果を奏する。
【図面の簡単な説明】
【００１４】
【図１】本発明の各部を示す分解斜視図である。
【図２】本発明の各部を嵌め込んだ状態を示すもので、（ａ）は側面図、（ｂ）は正面図、（ｃ）は平面図である。
【図３】本発明の容器本体を示すもので、（ａ）は側面図、（ｂ）は正面図、（ｃ）は平面図、（ｄ）はＡ−Ａ線断面図である。
【図４】本発明の中蓋を示すもので、（ａ）は側面図、（ｂ）は正面図、（ｃ）は平面図、（ｄ）はＢ−Ｂ線断面図である。
【図５】本発明のパッキンリングを示すもので、（ａ）は側面図、（ｂ）は正面図、（ｃ）は平面図、（ｄ）は底面図、（ｅ）はＣ−Ｃ線断面図である。
【図６】本発明の容器本体に中蓋とパッキンリングとの組み合わせ物を嵌め込んで密封した状態を示すもので、（ａ）は側面図、（ｂ）は正面図、（ｃ）は平面図、（ｄ）はＤ−Ｄ線断面図である。
【図７】本発明の蓋本体の拡大図を示すもので、（ａ）は正面図、（ｂ）は部分平面図である。
【図８】図７と同様の本発明の蓋本体の拡大図を示すもので、（ａ）は部分底面図、（ｂ）は図７（ｂ）に於けるＥ−Ｅ線断面図、（ｃ）は図７（ｂ）に於けるＦ−Ｆ線断面図である。
【図９】本発明の開閉レバーの拡大図を示すもので、（ａ）は正面図、（ｂ）は背面図、（ｃ）は側面図、（ｄ）はＧ−Ｇ線断面図である。
【図１０】本発明の蓋本体と開閉レバーの拡大部分斜視図である。
【図１１】本発明の開閉レバーの背面方向から見た拡大斜視図である。
【図１２】本発明の容器本体と中蓋とパッキンリングと開閉レバーの組み合わせ物の閉じた状態の拡大図を示すもので、図７（ｂ）に於けるＥ−Ｅ線と同位置の断面図である。
【図１３】図１２に於ける開閉レバーを開いた状態の断面図である。
【図１４】本発明の容器本体と中蓋とパッキンリングと開閉レバーの組み合わせ物の閉じた状態の拡大図を示すもので、図７（ｂ）に於けるＨ−Ｈ線と同位置の断面図である。
【図１５】図１４に於ける開閉レバーを開いた状態の断面図である。
【発明を実施するための形態】
【００１５】
本発明の弁当箱は、
底壁１１の周縁に筒壁１２を立連設した有底筒形状で、筒壁１２の外面に係止用突片１３を周方向に沿って突設した容器本体１０と、
天板２１の周縁に短筒壁２２を立連設した有底短筒形状で、前記した短筒壁２２の外周にパッキンリング３０を密嵌し、容器本体１０の上端部内に密嵌入する中蓋２０と、
頂壁４１の周縁に外装壁４２を垂下連設した有頂筒形状で、外装壁４２の対向する二か所に、頂壁４１の端部を含む上端から下端にかけて切り欠き４３を夫々設け、容器本体１０に外装される蓋本体４０と、
蓋本体４０の切り欠き４３の頂壁切り欠き部４３a内に上端が軸支され、外装壁切り欠き部４３b内にかけて嵌め込まれ、下端が容器本体１０の係止用突片１３に下方から係止する開閉レバー５０、
とから構成される。
【実施例】
【００１６】
容器本体１０の底壁１１は平面視で長尺なトラック形状であり、曲線部は夫々半円形状となっている。底壁１１の周縁から立ち上がった筒壁１２の外面に周方向に沿って設けられる係止用突片１３は、この曲線部で平面視略三日月状に突出して形成され、トラック形状の直線部にまで突出することはない。そして、この係止用突片１３の下面中央には、横長直線状のロック溝１４が設けられている。尚、上記実施例では底壁１１を平面視で長尺なトラック形状としたがこれに限られるものではなく、例えば長方形形状、正方形形状、円形形状、楕円形形状等、適宜選択され得る。
【００１７】
中蓋２０の天板２１は上記した容器本体１０の底壁１１の長尺なトラック形状に対応しており、周縁に立連設した短筒壁２２の上端外周に上フランジ２３を、短筒壁２２の下端外周に下フランジ２４を夫々周設する。上フランジ２３の外縁形状は容器本体１０の筒壁１２の外縁形状と同一サイズであり、下フランジ２４の外縁形状は容器本体１０の筒壁１２の内縁形状と同一サイズである。即ち下フランジ２４は上フランジ２３よりも突出幅が、筒壁１２の肉厚分だけ小さい。
【００１８】
弾力性に富んだ軟質樹脂製の環状のパッキンリング３０は、上リング部３１の下面に下リング部３２を一体に成形したもので、上リング部３１の外縁形状は容器本体１０の筒壁１２の外縁形状と同一サイズ、下リング部３２の外縁形状は容器本体１０の筒壁１２の内縁形状と同一サイズ、上リング部３１と下リング部３２の内縁形状は、中蓋２０の短筒壁２２の外縁形状と同一サイズである。従って、環状のパッキンリング３０は、中蓋２０の短筒壁２２の外周である、上フランジ２３と下フランジ２４との間に挟持される形態で密嵌し、中蓋２０と共に容器本体１０の上端部内に密嵌入し、上リング部３１下面が筒壁１２の上面に、下リング部３２の外周面が筒壁１２の内面上端部に密着し(例えば図１２)、容器本体１０の密封を確保することになる(図６参照)。
【００１９】
蓋本体４０の頂壁４１は、容器本体１０の底壁１１よりも一回り大きな長尺なトラック形状で、周縁に垂下連設される外装壁４２は、蓋本体４０を容器本体１０に外装した際に容器本体１０の筒壁１２の半分以上を覆う程度に深く被る高さ幅を有している。
【００２０】
トラック形状の頂壁４１の中心を通る仮想される長軸線(図２（ｃ）参照)上にあって、外装壁４２の対向する湾曲壁面部の夫々の二か所に、頂壁４１の端部を含む上端から下端にかけて切り欠き４３を設ける。即ち、頂壁４１の端部での切り欠き４３を頂壁切り欠き部４３a、外装壁４２の上端から下端にかけての切り欠き４３を外装壁切り欠き部４３bとする。頂壁切り欠き部４３aの切り欠き端は前記した仮想される長軸線に直交する直線であり、外装壁切り欠き部４３bに於ける外装壁４２は、上端部を除き対向部が相互に近づくガイド壁部４３cとなっている。
【００２１】
頂壁４１の頂壁切り欠き部４３aの直線となった端縁からは補助壁４４が垂下設され、この補助壁４４の両側には、外装壁４２方向に突出して外装壁４２の内面に連続する側壁４５が設けられている。従って、この側壁４５と外装壁切り欠き部４３b端縁との間に前記したガイド壁部４３cが形成されることになる。また補助壁４４の上端から、後記する開閉レバー５０の上端板部５１の肉厚幅ほど下位の補助壁４４の上端部位置には、横長直線状の受け皿４６が突設される。
【００２２】
略逆L字形状の開閉レバー５０は、頂壁切り欠き部４３a内に嵌め込まれる上端板部５１の先端縁が、上記した頂壁切り欠き部４３aの切り欠き端の直線に対応し、略逆L字形状の屈曲部である基端縁は、外装壁４２の半円形の曲率と同一の曲線となっている。そしてこの基端縁から垂下して外装壁切り欠き部４３b内に嵌め込まれる操作板部５２も、その外面が同一曲率での湾曲面となっており、更に操作板部５２の左右幅は、ガイド壁部４３cの端縁である外装壁切り欠き部４３bに対応して上端部以下が若干小さくなっている。従って、切り欠き４３内に嵌め込まれる開閉レバー５０は、上端板部５１が頂壁４１の平面と面一に、操作板部５２が外装壁４２の曲面と面一になり、蓋本体４０の表面は凹凸のない滑らかなものになっている。
【００２３】
操作板部５２の内面両側部には内方に向けて連結板５３が夫々突設され、この連結板５３の突出端面には外側方に突出する係合突条５４が設けられている。この係合突条５４は、開閉レバー５０を切り欠き４３に嵌め込む際、蓋本体４０の補助壁４４と側壁４５とガイド壁４３ｃとで形成される空間に上方から挿入される部分である。そしてこの係合突条５４の側面上端部には、開閉レバー５０を切り欠き４３に嵌め込んだ状態で側壁４５の上端部に軸着される軸ピン５５が膨出される。図示実施例でこの軸ピン５は横長な半円柱形状であるが、半円球形状であってもよい。
【００２４】
また、係合突条５４が上記空間に上方から挿入位置した際、ガイド壁４３ｃに対向する面の中央部から下端にかけてを削切し、傾斜面５６を形成する。
【００２５】
更に、蓋本体４０と開閉レバー５０とを組み合わせた状態で容器本体１０に被せた際、容器本体１０の係止用突片１３のロック溝１４に下方から嵌入係止するロック条５７を、開閉レバー５０の操作板部５２の内面下部に突設し、また、蓋本体４０の補助壁４４の横長直線状となった受け皿４６に遊嵌する突条５８を、開閉レバー５０の上端板部５１の上部内面に設ける。
【００２６】
図１２、図１３は図２（ｃ）で示した仮想長軸線、或いは図７（ｂ）で示したＨ−Ｈ線に於ける、拡大した部分断面を示す。容器本体１０の上端部内にパッキンリング３０を密装した中蓋２０を密嵌し、蓋本体４０を被せて開閉レバー５０のロック条５７を容器本体１０の係止用突片１３のロック溝１４に下方から嵌入係止した状態を示したのが図１２である。
【００２７】
ここでは、パッキンリング３０の上リング部３１下面が容器本体１０の筒壁１２の上面に密着すると共に、下リング部３２の外周面が筒壁１２上端部の内周面に密着し、この密着状態が蓋本体４０の頂壁４１によって押さえ付けられているので、容器本体１０の密封が確実に達成される。
【００２８】
そして、係合突条５４の軸ピン５５が蓋本体４０の側壁４５の上端部に軸着している開閉レバー５０は、操作板部５２の下部を内方に強く押して開閉レバー５０回動することにより、ロック条５７が係止用突片１３の下面を滑ってロック溝１４に下方から嵌入係止する。この嵌入係止状態では、蓋本体４０の受け皿４６に遊嵌している突条５８が受け皿４６を、ひいては頂壁４１を、押し下げることになるので、上記した蓋本体４０の頂壁４１によるパッキンリング３０への押さえ付けが確実になり、密閉が確保される。しかもこの開閉レバー５０の閉操作は、極めて小さな回動ストロークで済み、簡単且つ確実である。
【００２９】
図１２の状態では、開閉レバー５０下端と容器本体１０の筒壁１２との間には間隙が形成されてあり、開閉レバー５０下端に指先をかけての回動操作が容易で、ロック条５７と係止用突片１３とのロックを解いて蓋本体４０を取り外すことができる（図１３参照）。
【００３０】
また、図１４、図１５は図７（ｂ）に於けるＨ−Ｈ線と同位置の断面を表し、開閉レバー５０の係合突条５４が蓋本体４０の補助壁４４と側壁４５とガイド壁４３ｃとで形成される空間に上方から挿入された状態が視認できるように表したもので、閉じた状態の図１４から開閉レバー５０を回動させた図１５の状態では、係合突条５４の傾斜面５６が対向するガイド壁４３ｃ面に面接し、それ以上の開閉レバー５０の回動が規制される。図示実施例での回動角度は１０度である。
【符号の説明】
【００３１】
１０  容器本体
１１  底壁
１２  筒壁
１３  係止用突片
１４  ロック溝
２０  中蓋
２１  天板
２２  短筒壁
２３  上フランジ
２４  下フランジ」
３０  パッキンリング
３１  上リング部
３２  下リング部
４０  蓋本体
４１  頂壁
４２  外装壁
４３  切り欠き
４３a  頂壁切り欠き部
４３b  外装壁切り欠き部
４３c  ガイド壁部
４４  補助壁
４５  側壁
４６  受け皿
５０  開閉レバー
５１  上端板部 
５２  操作板部
５３  連結板
５４  係合突条
５５  軸ピン
５６  傾斜面
５７  ロック条
５８  突条
【要約】
【課題】  本発明は、密閉が確実で且つ開閉が容易な弁当箱である。
【解決手段】  底壁１１周縁に筒壁１２を立連設した有底筒形状で、筒壁１２外面に係止用突片１３を突設した容器本体１０と、天板２１周縁に短筒壁２２を立連設した有底短筒形状で、短筒壁２２外周にパッキンリング３０を密嵌し、容器本体１０上端部内に密嵌入する中蓋２０と、頂壁４１周縁に外装壁４２を垂下連設した有頂筒形状で、外装壁４２の対向する二か所に、頂壁４１端部を含む上端から下端にかけて切り欠き４３を夫々設け、容器本体１０に外装される蓋本体４０と、頂壁切り欠き部４３a内に上端が軸支され、外装壁切り欠き部４３ｂ内にかけて嵌め込まれ、下端が容器本体１０の係止用突片１３に下方から係止する開閉レバーとから構成される。
【選択図】        図１０【図１】
0006768167.tif 000002
【図２】
0006768167.tif 000003
【図３】
0006768167.tif 000004
【図４】
0006768167.tif 000005
【図５】
0006768167.tif 000006
【図６】
0006768167.tif 000007
【図７】
0006768167.tif 000008
【図８】
0006768167.tif 000009
【図９】
0006768167.tif 000010
【図１０】
0006768167.tif 000011
【図１１】
0006768167.tif 000012
【図１２】
0006768167.tif 000013
【図１３】
0006768167.tif 000014
【図１４】
0006768167.tif 000015
【図１５】
0006768167.tif 000016